(57)【特許請求の範囲】
【請求項１】
複数の送信ポイントを含む無線通信システムにおいて、前記送信ポイントのうち、いずれか一つの送信ポイントで干渉測定資源設定情報（ＩＭＲ設定情報）を転送する方法であって、前記方法は、
前記複数の送信ポイントのうちいずれのものかを指示する干渉測定資源インデックスを含み、端末のダウンリンク干渉測定に使用される複数の干渉測定資源を設定する複数のＩＭＲ設定情報を識別する段階と、
前記複数のＩＭＲ設定情報から識別された前記ＩＭＲ設定情報を前記端末に送信する段階と、を含み、
前記ＩＭＲ設定情報は、前記複数の送信ポイントのうちいずれか一つ以上がミューティングされた資源要素に対する情報が含まれていることを特徴とする、方法。
【請求項２】
前記ＩＭＲ設定情報は、前記干渉測定資源インデックス、資源設定情報及びサブフレーム設定情報を含むことを特徴とする、請求項１に記載の方法。
【請求項３】
前記資源設定情報は１つの物理的資源ブロック（ＰＲＢ）の対の中において４個の資源要素に関連する設定情報を含むことを特徴とする、請求項２に記載の方法。
【請求項４】
前記ＩＭＲ設定情報を前記端末に転送することは、ＵＥ−特定ＲＲＣメッセージを通じて前記端末に前記ＩＭＲ設定情報を転送することを含むことを特徴とする、請求項１に記載の方法。
【請求項５】
端末が干渉を測定する方法であって、前記方法は、
複数の送信ポイントを含む無線通信システムにおいて、前記送信ポイントのうち、いずれか一つの送信ポイントから干渉測定資源設定情報（ＩＭＲ設定情報）を受信し、前記ＩＭＲ設定情報は、前記複数の送信ポイントのうちいずれのものかを指示する干渉測定資源インデックスを含み、前記端末のダウンリンク干渉測定に使用される複数の干渉測定資源を設定する複数のＩＭＲ設定情報から識別され、
前記受信された前記ＩＭＲ設定情報、前記複数の送信ポイントのうちいずれか一つ以上がミューティングされた資源要素に対する情報が含まれていることを特徴とする、方法。
【請求項６】
前記ＩＭＲ設定情報は、前記干渉測定資源インデックス、資源設定情報及びサブフレーム設定情報を含むことを特徴とする、請求項５に記載の方法。
【請求項７】
前記資源設定情報は１つの物理的資源ブロック（ＰＲＢ）の対の中において４個の資源要素に関連する設定情報を含むことを特徴とする、請求項６に記載の方法。
【請求項８】
前記ＩＭＲ設定情報を前記送信ポイントから受信することは、
ＵＥ−特定ＲＲＣメッセージを通じて前記送信ポイントから前記ＩＭＲ設定情報を受信することを含むことを特徴とする、請求項５に記載の方法。
【請求項９】
複数の送信ポイントを含む無線通信システムにおいて、前記送信ポイントのうち、いずれか一つの送信ポイントで端末のダウンリンク干渉測定のための干渉測定資源設定情報（ＩＭＲ設定情報）を決定する制御部と、
前記端末にＩＭＲ設定情報を転送するように具現される送信部を含み、
前記制御部は、前記複数の送信ポイントのうちいずれのものかを指示する干渉測定資源インデックスを含み、端末のダウンリンク干渉測定に使用される複数の干渉測定資源を設定する複数のＩＭＲ設定情報に基づいて識別し、
前記ＩＭＲ設定情報は、前記複数の送信ポイントのうちいずれか一つ以上がミューティングされた資源要素に対する情報が含まれていることを特徴とする、送信ポイント。
【請求項１０】
前記ＩＭＲ設定情報は、前記干渉測定資源インデックス、資源設定情報及びサブフレーム設定情報を含むことを特徴とする、請求項９に記載の送信ポイント。
【請求項１１】
前記資源設定情報は１つの物理的資源ブロック（ＰＲＢ）の対の中において４個の資源要素に関連する設定情報を含むことを特徴とする、請求項１０に記載の送信ポイント。
【請求項１２】
前記送信部は、ＵＥ−特定ＲＲＣメッセージを通じて前記端末に前記ＩＭＲ設定情報を転送するように具現されることを特徴とする、請求項９に記載の送信ポイント。
【請求項１３】
複数の送信ポイントを含む無線通信システムにおいて、前記送信ポイントのうち、いずれか一つの送信ポイントから干渉測定資源設定情報（ＩＭＲ設定情報）を送信ポイントから受信する受信部を含み、
前記受信部は、前記ＩＭＲ設定情報は、前記複数の送信ポイントのうちいずれのものかを指示する干渉測定資源インデックスを含み、前記端末のダウンリンク干渉測定に使用される複数の干渉測定資源を設定する複数のＩＭＲ設定情報を識別し、
前記受信部において受信された前記ＩＭＲ設定情報に従って干渉測定を遂行するように具現される制御部を含み、
前記ＩＭＲ設定情報は、前記複数の送信ポイントのうちいずれか一つ以上がミューティングされた資源要素に対する情報が含まれていることを特徴とする、端末。
【請求項１４】
前記ＩＭＲ設定情報は、前記干渉測定資源インデックス、資源設定情報及びサブフレーム設定情報を含むことを特徴とする、請求項１３に記載の端末。
【請求項１５】
前記資源設定情報は１つの物理的資源ブロック（ＰＲＢ）の対の中において４個の資源要素に対する設定情報を含むことを特徴とする、請求項１４に記載の端末。
【請求項１６】
前記受信部は、
ＵＥ−特定ＲＲＣメッセージを通じて前記送信ポイントから前記ＩＭＲ設定情報を受信するように具現されることを特徴とする、請求項１３に記載の端末。
【発明の詳細な説明】
【技術分野】
【０００１】
本開示は、干渉測定資源（Interference measurement resources：ＩＭＲ）の設定情報（configuration information）転送及び干渉測定に関連する。具体的に、本開示はダウンリンク協力型多重ポイント送受信（coordinated multi-point transmission/reception：ＣｏＭＰ）環境において、チャンネル状態情報（channel state information：ＣＳＩ）測定のために使われるＩＭＲ設定情報送受信及びＩＭＲ設定情報を使用した干渉測定方法及び装置に関連する。
【０００２】
ＣｏＭＰシステムにおいて、２つ以上の送信ポイントが互いに協力して信号を転送する。このようなＣｏＭＰシステムはチャンネル状態情報を得ることができる。チャンネル状態情報を得るために、干渉信号測定資源の設定情報を端末に転送することが要求され、ＩＭＲ設定情報を使用して干渉測定が要求され、および、該当チャンネル状態情報のフィードバック転送が要求される。
【発明の概要】
【課題を解決するための手段】
【０００３】
少なくとも一実施形態において、送信ポイントの干渉測定資源設定情報転送のための方法を提供できる。上記方法は、（i）端末のダウンリンク干渉測定のためのＩＭＲ設定情報を決定するステップ、及び（ii）端末にＩＭＲ設定情報を転送するステップを含むことができ、上記ＩＭＲ設定情報はＩＭＲ設定情報を指示する干渉測定資源インデックスに基づいて識別できる。
【０００４】
他の実施形態において、端末の干渉測定のための方法を提供できる。上記方法は、（i）送信ポイントから干渉測定資源（ＩＭＲ）設定情報を受信し、ここで、上記ＩＭＲ設定情報は干渉測定資源インデックスに基づいて識別され、上記干渉測定資源インデックスはＩＭＲ設定情報を指示し、（ii）ＩＭＲ設定情報に従って干渉信号を測定することを含むことができる。
【０００５】
更に他の実施形態において、送信ポイントを提供できる。上記送信ポイントは制御部及び送信部を含むことができる。制御部は、端末のダウンリンク干渉測定のために干渉測定資源設定情報を決定するように具現できる。送信部は、端末にＩＭＲ設定情報を転送するように具現できる。ここで、上記ＩＭＲ設定情報はＩＭＲ設定情報を指示する干渉測定資源インデックスに基づいて識別される。
【０００６】
更に他の実施形態において、端末を提供できる。上記端末は、受信部及び制御部を含むことができる。受信部は、送信ポイントから干渉測定資源（ＩＭＲ）設定情報を受信するように具現できる。ここで、ＩＭＲ設定情報は干渉測定資源インデックスに基づいて識別され、干渉測定資源インデックスは端末のダウンリンク干渉のためにＩＭＲ設定情報を指示することができる。制御部は、ＩＭＲ設定情報受信によって干渉測定を遂行するように具現できる。
【図面の簡単な説明】
【０００７】
【図１】少なくとも一実施形態が適用できる無線通信システムを例示的に図示する図。
【図２】サービング送信ポイントにより転送された“CSI-RS-Config”メッセージの情報要素を図示する図。
【図３】１つのＰＲＢ対内でＣＳＩ−ＲＳとＺＰ−ＣＳＩ−ＲＳ転送のために使われる資源要素の位置を図示する図。
【図４】少なくとも一実施形態に係る送信ポイントの干渉測定資源設定情報転送方法のフローチャート。
【図５】実施形態１に係る干渉測定資源のＩＭＲインデックスを図示する図。
【図６】実施形態２に係る送信ポイントの干渉測定資源の設定情報を図示する。
【図７】実施形態３に従ってＩＭＲ設定のために追加された“IMRConfigList”フィールドのＩＭＲビットマップの構成を図示する図。
【図８】実施形態４に係る干渉測定資源のＩＭＲインデックスを図示する図。
【図９】実施形態５に係る“zeroTxPowerSub-frameConfigList-r1x”のＴビット（Ｔは自然数）ビットマップ構成を図示する図。
【図１０】実施形態６に係る“zeroTxPowerSub-frameConfigList-r1x”のＴビットのビットマップ（Ｔは自然数）構成を図示する図。
【図１１】少なくとも一実施形態に係る端末での干渉測定方法のフローチャート。
【図１２】実施形態による基地局の構成を示す図。
【図１３】実施形態によるユーザ端末の構成を示す図。
【発明を実施するための形態】
【０００８】
以下、本発明の一部の実施形態を例示的な図面を通じて詳細に説明する。各図面の構成要素に参照符号を付加するに当たって、同一な構成要素に対しては、たとえ他の図面上に表示されてもできる限り同一な符号を有するようにしていることに留意しなければならない。また、本発明を説明するに当たって、関連した公知構成または機能に対する具体的な説明が本発明の要旨を曖昧にすることがあると判断される場合には、その詳細な説明は省略する。
【０００９】
少なくとも１つの実施形態において、無線通信システムは、音声、パケットデータなどの多様な通信サービスを提供するために広く配置される。無線通信システムは、ユーザ端末（User Equipment：ＵＥ）及び少なくとも一つの送受信ポイント（Transmission／Reception point）を含む。本明細書でのユーザ端末（ＵＥ）は無線通信における端末を意味する包括的な概念である。したがって、ユーザ端末（ＵＥ）ＷＣＤＭＡ(登録商標）及びＬＴＥ、ＨＳＰＡなどでのＵＥ（User Equipment）は勿論、ＧＳＭ（登録商標）でのＭＳ（Mobile Station）、ＵＴ（User Terminal）、ＳＳ（Subscriber Station）、無線機器（wireless device）などを全て含む概念として解釈されるべきである。
【００１０】
送受信ポイントは、一般的にユーザ端末と通信する地点（station）をいい、基地局（Base Station：ＢＳ）またはセル（cell）、ノード−Ｂ（Node-B）、ｅＮＢ（evolved Node-B）、セクター（Sector）、サイト（Site）、ＢＴＳ（Base Transceiver System）、アクセスポイント（Access Point）、リレーノード（Relay Node）、ＲＲＨ（Remote Radio Head）、ＲＵ（Radio Unit）、アンテナなど、他の用語として呼ばれることができる。
【００１１】
即ち、本明細書において、送受信ポイント、基地局（ＢＳ）、またはセル（cell）は、ＣＤＭＡでのＢＳＣ（Base Station Controller）、ＷＣＤＭＡ(登録商標）のＮｏｄｅＢ、ＬＴＥでのｅＮＢまたはセクター（サイト）などがカバーする一部領域または機能を示す包括的な意味として解釈されなければならない。したがって、送受信ポイント、基地局（ＢＳ）および／またはセルの意味は、メガセル、マクロセル、マイクロセル、ピコセル、フェムトセルなどを含む。また、その意味には、リレーノード（relay node）、ＲＲＨ（Remote Radio Head）、ＲＵ（Radio Unit）通信範囲を包括する。
【００１２】
本明細書において、ユーザ端末と送受信ポイントは本明細書で記述される技術または技術的思想を具現することに使われる２つ送受信主体で、包括的な意味として使われて、特定に称される用語または単語により限定されるものではない。また、ユーザ端末と送受信ポイントは、本発明で記述される技術または技術的思想を具現することに使われる２つ（UplinkまたはDownlink）の送受信主体で、包括的な意味として使われて、特定に称される用語または単語により限定されるものではない。ここで、アップリンク（ＵＬ）はユーザ端末により基地局にデータを送受信する方式を意味する。これとは異なり、ダウンリンク（ＤＬ）は基地局によりユーザ端末にデータを送受信する方式を意味する。
【００１３】
無線通信システムに適用される多重接続技法は多様であり、ＣＤＭＡ（Code Division Multiple Access）、ＴＤＭＡ（Time Division Multiple Access）、ＦＤＭＡ（Frequency Division Multiple Access）、ＯＦＤＭＡ（Orthogonal Frequency Division Multiple Access）、ＯＦＤＭ−ＦＤＭＡ、ＯＦＤＭ−ＴＤＭＡ、ＯＦＤＭ−ＣＤＭＡなどがある。しかし、そのような多様な多重接続技法は、これらに限定されない。本発明の少なくとも一実施形態は、ＧＳＭ（登録商標）、ＷＣＤＭＡ（登録商標）、ＨＳＰＡを経てＬＴＥ及びLTE-advanced（ＬＴＥ−Ａ）に進化する非同期無線通信と、ＣＤＭＡ、ＣＤＭＡ−２０００、及びＵＭＢに進化する同期式無線通信分野などの資源割り当てに適用できる。本発明は、特定の無線通信分野に限定または制限されて解釈されてはならず、本発明の思想が適用できる全ての技術分野を含むものとして解釈されるべきである。
【００１４】
アップリンク転送及びダウンリンク転送には、すくなくともＴＤＤ（Time Division Duplex）およびＦＤＤ（Frequency Division Duplex）方式の一つを使うことができる。ここにＴＤＤは、互いに異なる時間を使用して遂行される。ＦＤＤは、互いに異なる周波数を使用して遂行される。
【００１５】
また、ＬＴＥ、ＬＴＥ−Ａのような規格を構成するシステムでは１つの搬送波または搬送波の対を基準にアップリンクとダウンリンクを構成する。アップリンクとダウンリンクは、ＰＤＣＣＨ（Physical Downlink Control CHannel）、ＰＣＦＩＣＨ（Physical Control Format Indicator CHannel）、ＰＨＩＣＨ（Physical Hybrid ARQ Indicator CHannel）、ＰＵＣＣＨ（Physical Uplink Control CHannel）などの制御チャンネルを介して制御情報を転送する。データは、ＰＤＳＣＨ（Physical Downlink Shared CHannel）、ＰＵＳＣＨ（Physical Uplink Shared CHannel）などのデータチャンネルにより転送される。本明細書におけるＰＤＣＣＨはＥＰＤＣＣＨを含む概念でありうる。
【００１６】
本明細書において、セル（cell）は送受信ポイントから転送される信号のカバレッジ、送受信ポイント（transmission pointまたはtransmission／reception point）から転送される信号のカバレッジを有する要素搬送波（component carrier）、その送受信ポイント自体を意味することができる。以下において、送受信ポイントは信号を転送／送信する送信ポイント（transmission point）または信号を受信する受信ポイント（reception point）、これらの結合（transmission／reception point）を意味する。したがって、本明細書で送信主体（例えば、信号の送信主体）は送受信ポイントまたは送信ポイントということができる。本明細書において、受信主体（例えば、信号の受信主体）を送受信ポイントまたは受信ポイントということができる。
【００１７】
図１は、少なくとも一実施形態が適用できる無線通信システムを例示的に図示する。
【００１８】
図１によれば、無線通信システム１００は多重ポイント協力型送受信（coordinated multi-point transmission/reception：ＣｏＭＰ）システム、協力型多重アンテナ転送システム（coordinated multi-antenna transmission system）、および協力型多重セル通信システムの一つでありうる。ここで、ＣｏＭＰシステムは複数の送受信ポイントが協力して信号を転送することができる。ＣｏＭＰシステムなどの無線通信システム１００は少なくとも２つまたは３個の送信ポイント１１０、１１２、１１４と少なくとも１つの端末１２０、１２２を含むことができる。
【００１９】
図面に示すように、送信ポイント１１０、１１２、１１４は、基地局（ｅＮＢ）１１０、及びＲＲＨｓ１１２、１１４のうちの１つでありうる。ここで、ｅＮＢ １１０は基地局またはマクロセル（または、マクロノード）でありうる。ＲＲＨ １１２、１１４は、ｅＮＢ１１０に光ケーブルまたは光ファイバーにより連結されて有線制御される少なくとも１つのピコセルを意味することができる。さらに、ＲＲＨｓ１１２、１１４は高い転送パワーを有するか、またはマクロセル領域内の低い転送パワーを有することができる。ｅＮＢ１１０とＲＲＨ １１２、１１４は同一なセル識別子（ＩＤ）を有することも、互いに異なるセルＩＤを有することもできる。
【００２０】
以下、ダウンリンク（ＤＬ）は送信ポイント１１０、１１２から端末１２０への通信または通信経路を意味する。アップリンク（ＵＬ）は端末１２０から送信ポイント１１０、１１２、１１４への通信または通信経路を意味する。ダウンリンクにおいて、送信機は送信ポイント１１０、１１２、１１４の一部分で、受信機は端末１２０、１２２の一部分でありうる。アップリンクにおいて、送信機は端末１２０の一部分で、受信機は送信ポイント１１０、１１２、１１４の一部分でありうる。
【００２１】
以下、ＰＵＣＣＨ、ＰＵＳＣＨ、ＰＤＣＣＨおよび／またはＰＤＳＣＨなどのチャンネルを介して信号が送受信される状況を‘ＰＵＣＣＨ、ＰＵＳＣＨ、ＰＤＣＣＨおよび／またはＰＤＳＣＨを転送または受信する’という形態として表記することもある。
【００２２】
送信ポイント１１０、１１２、１１４は、端末（例えば、ＵＥ１（１２０）及び／又はＵＥ２（１２２））にダウンリンク転送を遂行することができる。送信ポイント１１０、１１２、１１４は、ユニキャスト転送（unicast transmission）のための主物理チャンネルに対応するＰＤＳＣＨを転送することができる。また、送信ポイント１１０、１１２、１１４は、ＰＤＳＣＨの受信に必要とするスケジューリングなどのダウンリンク制御情報、及びアップリンクデータチャンネル（例えば、ＰＵＳＣＨ）の転送のためのスケジューリング承認情報を転送するためのＰＤＣＣＨを転送することができる。以下、各チャンネルを介して信号が送受信されることを該当チャンネルが送受信される形態として記載する。
【００２３】
この場合、以下に図面を参照して説明するように、ダウンリンクＣｏＭＰ環境で、送信ポイント−Ａ及びＢ（１１０、１１２）は、ＵＥ１（１２０）にダウンリンク信号を転送し、送信ポイント−ＡからＣ１１０、１１２、１１４は、ＵＥ２（１２２）にダウンリンク信号を転送することができる。アップリンクＣｏＭＰ環境で、ＵＥ１（１２０）は、受信ポイント−Ａ（１１０）にアップリンク信号を転送し、ＵＥ２（１２２）は、受信ポイント−Ｃ（１１４）にアップリンク信号を転送することができる。この場合、送信ポイント−Ａは図１に図示した無線通信システム１１０における端末１２０、１２２のサービング送信ポイントと仮定する。
【００２４】
以上、ＣｏＭＰ環境を、図１を参照して説明した。以下、ダウンリンクＣｏＭＰ測定セットとＳＩＮＲの干渉項目を計算するための干渉仮説（“ダウンリンクＣｏＭＰ測定セットと干渉仮説”）を詳細に説明する。
【００２５】
各端末は固有なＣｏＭＰ測定セット（CoMP measurement set）を有することができる。ＣｏＭＰ測定セットは端末にダウンリンクデータを転送することができる少なくとも１つの送信ポイント（Transmission Point：ＴＰ）で構成されている。例えば、ＵＥ１（１２０）は送信ポイント−Ａ及びＢ（１１０、１１２）で構成されたＣｏＭＰ測定セットを有することができる。ＵＥ２（１２２）は、送信ポイント−ＡからＣ（１１０、１１２、１１４）で構成されたＣｏＭＰ測定セットを有することができる。
【００２６】
ＣｏＭＰ測定セットに含まれている各々の送信ポイントを端末にダウンリンク信号を転送しているサービング送信ポイントと仮定する時、端末は多様なＣｏＭＰ方式（Single point transmission、Dynamic point selection（ＤＰＳ）またはDynamic point blanking（ＤＰＢ）など）に従ってチャンネル状態情報（Channel Status Information/Indication：ＣＳＩ）フィードバックを転送する。
【００２７】
端末は、ＣＳＩフィードバック転送の遂行のためにサービング送信ポイント及び仮定するＣｏＭＰ方式によってＣｏＭＰ測定セットに対して、下に示す＜表１＞及び＜表２＞のように多様なＳＩＮＲ値を計算することができる。ここで、上記ＣｏＭＰ測定セットは２つの送信ポイント（例えば、送信ポイント−Ａ（１１０）と送信ポイント−Ｂ（１１２））または３個の送信ポイント（例えば、送信ポイント−Ａ（１１０）、送信ポイント−Ｂ（１１２）、送信ポイント−Ｃ（１１４）で構成できる。
【００２８】
【表１】
0006039810.tif 000002
【００２９】
【表２】
0006039810.tif 000003
【００３０】
ＳＡ、ＳＢ、及びＳＣは、各々送信ポイント−Ａ、送信ポイント−Ｂ、及び送信ポイント−Ｃが転送する信号電力を示すことができる。ＩＡ、ＩＢ、及びＩＣは、各々送信ポイント−Ａ、送信ポイント−Ｂ、及び送信ポイント−Ｃから転送される干渉電力を示すことができる。ＩＯは、ＣｏＭＰ測定セットに含まれない送信ポイントから転送される干渉電力を示すことができる。Ｎは、周辺ノイズ（background noise）を示すことができる。
【００３１】
まず、上記多様なＳＩＮＲ値を計算するために、端末は先にＣｏＭＰ測定セットに存在する全ての送信ポイントから各々ＣＳＩ−ＲＳを受信し、該当各送信ポイントの信号電力値を計算する。
【００３２】
また、端末はＳＩＮＲの干渉項目を計算することができる。このために、上記ＳＩＮＲ数式の分母は干渉仮説によって以下の＜表３＞と＜表４＞のように整理できる。ここで、＜表３＞はＣｏＭＰ測定セットが２つの送信ポイントで構成された場合を示す。＜表４＞はＣｏＭＰ測定セットが３個の送信ポイントで構成された場合を示す。ＩＭＲ（interference measurement resource）は端末のために干渉仮説によって設定（または、割り当て）できる。この場合、端末は該当ＩＭＲを通じて受信される信号電力を測定（または、評価）することができ、測定された信号電力値をＳＩＮＲの干渉項目として使用することができる。
【００３３】
【表３】
0006039810.tif 000004
【００３４】
【表４】
0006039810.tif 000005
【００３５】
１つの干渉仮説に対して１つのＩＭＲが設定された状況で、ＣｏＭＰ測定セットに含まれている送信ポイントは、上記＜表３＞と＜表４＞に示すように、干渉仮説に合せて、（i）端末に干渉として受信されるダウンリンク信号を転送するか、または（ii）干渉が発生しないように該当ＩＭＲをミューティングしてダウンリンク信号を転送しないことがある。
【００３６】
以上、ダウンリンクＣｏＭＰ測定セットとＳＩＮＲの干渉項目を計算するための干渉仮説を説明した。以下、ＣＳＩ−ＲＳ設定情報転送方法を具体的に説明する。
【００３７】
図２に示すように、サービング送信ポイント（例えば、ｅＮＢ １１０）は予め定義されたＲＲＣメッセージ（例えば、３ＧＰＰ ＴＳ ３６．３３１ Ｖ１０．５標準文書参照）のうち、“CSI-RS-Config”メッセージを使用して端末にＣＳＩ−ＲＳ設定情報を転送することができる。
【００３８】
この際、“CSI-RS-Config”メッセージの各フィールドは＜表５＞のように定義できる。
【００３９】
【表５】
0006039810.tif 000006
【００４０】
ここに、サービング送信ポイントの‘ＣＳＩ−ＲＳに対する設定情報’（“ＣＳＩ−ＲＳ設定情報”）は“CSI-RS-Config”メッセージの‘ＣＳＩ−ＲＳ−ｒ１０ＩＥ（Information Element）’を通じて転送できる。また、資源要素ミューティング情報（または、単純に「ミューティング情報」として称されることもある）は、‘zeroTxPowerCSI-RS-r10IE’を通じて転送できる。ここで、資源要素ミューティング情報はサービング送信ポイントがダウンリンク信号を転送しない資源要素（Resource element）ミューティングに対する情報（ミューティング情報）でありうる。異なる送信ポイントがミューティングされた資源要素と同一な資源要素をＣＳＩ−ＲＳの転送に使用する場合、サービング送信ポイントのダウンリンク信号は異なる送信ポイントのＣＳＩ−ＲＳに干渉として作用しない。資源要素ミューティングに使われた資源要素は‘ＺＰ−ＣＳＩ−ＲＳ’として称されることがある。
【００４１】
図３は、１つの物理資源ブロック（ＰＲＢ）の対の中においてＣＳＩ−ＲＳとＺＰ−ＣＳＩ−ＲＳ転送のために使われる資源要素の位置を図示する。
【００４２】
図３を参照すると、２つのスロットで構成された１つのＰＲＢの対の中において１つのＣＳＩ−ＲＳを転送するために‘転送アンテナポート個数’（例えば、２、４、または８個）と同一な個数の資源要素が使用できる。図３で、アルファベット大文字Ａ〜Ｒは各々１つのＣＳＩ−ＲＳを転送するために予め定義された２、４、または８個の資源要素の位置を示している。
【００４３】
あるいは、１つのＰＲＢの対の中において１つのＺＰ−ＣＳＩ−ＲＳを転送するためには常に４個の資源要素は転送アンテナポート個数に関わらず使用できる。
【００４４】
ＦＤＤ（frequency division duplex）のフレーム構造（Frame structure）の場合、ＣＳＩ−ＲＳおよびＺＰ−ＣＳＩ−ＲＳは、図３の（ａ）に該当する資源要素位置に対してのみ転送できる。ＴＤＤ（Time division duplex）のフレーム構造（Frame structure）の場合、ＣＳＩ−ＲＳおよびＺＰ−ＣＳＩ−ＲＳは図３の（ａ）と（ｂ）に該当する資源要素位置に対してのみ転送できる。
【００４５】
ＣＳＩ−ＲＳとＺＰ−ＣＳＩ−ＲＳの設定情報はＲＲＣメッセージ（“CSI-RS-Config”メッセージ）で端末に転送できる。ここで、ＲＲＣメッセージは‘資源設定（Resource configuration）情報’及び‘サブフレーム設定（Subframe configuration）情報’を含むことができる。
【００４６】
資源設定情報はビットマップ形式で構成できる。ビットマップにおいて、１つのビット位置（bit position）は図３の１つのアルファベットに該当する資源要素位置を示すことができる。以下の＜表６＞はサブフレーム設定情報を示すことができる。以下の＜表６＞に従ってＣＳＩ−ＲＳまたはＺＰ−ＣＳＩ−ＲＳのオフセット値と転送周期は端末にサブフレーム単位で転送できる。
【００４７】
【表６】
0006039810.tif 000007
【００４８】
従来のＣＳＩ−ＲＳ設定のために端末に転送される従来の制御情報（例えば、“CSI-RS-Config”メッセージ）は、ダウンリンクＣｏＭＰ環境で１つの端末に２つ以上のＣＳＩ−ＲＳ及びＩＭＲ設定情報を転送することに適合しない。
【００４９】
以上、ＣＳＩ−ＲＳ設定情報の転送方法が説明された。以下、ＺＰ−ＣＳＩ−ＲＳ設定方法に使用されるＩＭＲ設定情報及びそのＩＭＲ設定情報の転送方法を説明する。
【００５０】
図４は，少なくとも一実施形態に係る送信ポイントの干渉測定資源（ＩＭＲ）の設定情報（“IMR configuration information”）転送方法のフローチャートである。
【００５１】
図４を参照すると、ＩＭＲ設定情報の転送方法において、ステップＳ４１０で、送信ポイントはＣｏＭＰ環境でＣＳＩ測定のための特定端末のダウンリンク干渉測定に使われるＩＭＲ設定情報を決定（例えば、設定）することができる。ステップＳ４２０で、送信ポイントは干渉測定資源インデックスを使用して各々のＩＭＲ設定情報を識別し、端末にＩＭＲ設定情報を転送することができる。より詳しくは、サービング送信ポイントはＩＭＲインデックスを使用して割り当てられた複数のＩＭＲｓを識別することができる。さらに、端末にＣＳＩフィードバックを要求する時、サービング送信ポイントはＩＭＲインデックスを使用して好ましいＩＭＲ設定情報を通知することができる。この際、ＩＭＲ設定情報は資源設定情報とサブフレーム設定情報を含むことができる。
【００５２】
ＺＰ−ＣＳＩ−ＲＳと同様に、１つのＩＭＲは１つのＰＲＢの対の中において４個の資源要素で構成できる。ＺＰ−ＣＳＩ−ＲＳと同様に、送信ポイントは資源設定情報とサブフレーム設定情報を使用して端末にＩＭＲ設定情報を転送することができる。
【００５３】
一方、ＩＭＲ設定情報を端末に転送する動作（Ｓ４２０）において、ＣＳＩ−ＲＳ設定情報はＩＭＲ設定情報と共に転送できる。
【００５４】
ＣｏＭＰ環境で、ＩＭＲ設定情報はＣＳＩ測定のために転送できる。以下、ＩＭＲ設定情報転送の方法と関連した実施形態をより詳細に説明する。ここで、ＩＭＲ設定情報転送方法は、（i）ＩＭＲインデックスを使用してＩＭＲ設定情報を識別すること、（ii）ＩＭＲ設定情報を端末に転送すること、及び（iii）端末にＣＳＩフィードバックを要求することを含むことができる。
【００５５】
実施形態１：“CSI-RS-Config”メッセージの再使用
【００５６】
ＣＳＩ−ＲＳ設定情報及びＩＭＲ設定情報は、送信ポイントの信号電力を測定するために使用できる。ＣＳＩ−ＲＳ設定情報及びＩＭＲ設定情報は、サービング送信ポイント（ｅＮＢ１１０）から該当端末（ＵＥ１ １２０またはＵＥ２１２２）に転送できる。ここで、上記サービング送信ポイントは該当端末にダウンリンク信号を転送する送信ポイントを意味することができる。したがって、サービング送信ポイント（ｅＮＢ１１０）はＣＳＩ−ＲＳの設定情報及びＩＭＲの設定情報を図２に図示した“CSI-RS-Config”メッセージを使用して該当端末（ＵＥ１（１２０）またはＵＥ２（１２２））に転送することができる。ここで、ＣＳＩ−ＲＳ設定情報はＣｏＭＰ測定セット内の全ての送信ポイントが転送するＣＳＩ−ＲＳｓと関連した設定情報でありうる。上記ＩＭＲ設定情報は、各送信ポイント別に要求されるＩＭＲｓと関連した設定情報でありうる。
【００５７】
端末（例えば、ＵＥ１（１２０）またはＵＥ２（１２２））は、ＣＳＩ−ＲＳ設定情報を受信することができる。ここで、ＣＳＩ−ＲＳ設定情報はＣｏＭＰ測定セット内の全ての送信ポイントが転送するＣＳＩ−ＲＳｓと関連した設定情報で構成できる。したがって、この場合にサービング送信ポイント（ｅＮＢ１１０）は“zeroTxPowerCSI-RS-r10 IE”を使用して資源要素ミューティングのためのＺＰ−ＣＳＩ−ＲＳ設定情報を明示的に転送する必要がない。一般的に、無線資源ミューティングのためのＺＰ−ＣＳＩ−ＲＳ設定情報はＣｏＭＰ測定セット内の送信ポイントのＣＳＩ−ＲＳとダウンリンク信号との間に発生できる干渉を抑制するために使用できる。
【００５８】
実施形態１において、サービング送信ポイント（ｅＮＢ １１０）は“CSI-RS-Config”メッセージを再使用してＣＳＩ設定及びＩＭＲ設定を端末（例えば、ＵＥ１（１２０）またはＵＥ２（１２２））に同時に転送することができる。ここで、ＣＳＩ設定及びＩＭＲ設定は各送信ポイント別に構成できる。送信ポイントのＣＳＩ−ＲＳに対する設定情報は“CSI-RS-r10 IE”を通じて転送できる。同時に、ＩＭＲ設定情報は“zeroTxPowerCSI-RS-r10 IE”を通じて転送できる。この場合、ＩＭＲ設定情報が測定される時、または設定される時、ＣＳＩ−ＲＳを転送する送信ポイントの転送信号が干渉として作用する干渉仮説はＩＭＲ設定のために使われる必要がないことがある。
【００５９】
例えば、送信ポイント−Ａ（１１０）に対するＣＳＩ−ＲＳ設定情報が“CSI-RS-r10 IE”を通じて転送される場合、“ＩＡがない干渉仮説”（例えば、干渉仮説はＩＡを含まない）のみのためのＩＭＲ設定情報は“zeroTxPowerCSI-RS-r10 IE”を通じて転送できる。ここで、ＩＡがない干渉仮設は＜表４＞に表現された干渉仮設のうち、ＩＡが含まれている干渉仮設（例えば、ＩＡ＋ＩＢ＋ＩＯ＋Ｎ、ＩＡ＋ＩＣ＋ＩＯ＋Ｎ、及びＩＡ＋ＩＯ＋Ｎ）を除いた残りの干渉仮説でありうる。
【００６０】
このように、必要な干渉仮説はＣＳＩ−ＲＳを転送する各送信ポイント別に確認（または、区別）されることができ、ＩＭＲｓは決定（区別）された干渉によって設定できる。この場合、端末（ＵＥ１（１２０）またはＵＥ２（１２２））はサービング送信ポイント（ｅＮＢ１１０）の指示無しで各送信ポイント別に必要な各干渉仮説によってＳＩＮＲ値を予め計算することができる。即ち、ＳＩＮＲ値は各送信ポイントの必要な干渉仮説別に予め計算できる。
【００６１】
“zeroTxPowerCSI-RS-r10 IE”を通じて同時に設定されるＩＭＲ（ｓ）は“zeroTxPowerResourceConfigList-r10”フィールドの‘１６ビットビットマップ’（“BITSTRING（SIZE（16）”）に基づいて識別できる。ビットマップが‘１’に設定されれば、該当ＺＰ−ＣＳＩ−ＲＳ資源はＩＭＲｓとして使われることを示す。例えば、図５のように、ＩＭＲｓが使われる場合、“zeroTxPowerResourceConfigList-r10”フィールドのビットマップは“１０００００１０１００１００００”となることができる。この場合、図５に示すように、ＩＭＲが設定されたＺＰ−ＣＳＩ−ＲＳのインデックスが０、６、８、及び１１と仮定する時、ＺＰ−ＣＳＩ−ＲＳインデックス０、６、８、及び１１はＩＭＲインデックス０、１、２、及び３でありうる。
【００６２】
また、端末（ＵＥ１（１２０）またはＵＥ２（１２２））は図５に示すように、ビットマップが‘１’に設定された部分だけを整理し、ビットマップの順にＩＭＲインデックス付けて各々のＩＭＲを識別または区分することができる。サービング送信ポイント（例えば、ｅＮＢ１１０）はこのように定まったＩＭＲインデックスを使用して好まれる干渉仮説に対するＣＳＩフィードバックを端末（ＵＥ１（１２０）またはＵＥ２（１２２））に要求することができる。
【００６３】
実施形態２：各ＩＭＲ毎に独立的に設定情報が転送される場合
【００６４】
図１及び図４を参照すると、前述したように、端末にダウンリンク信号を転送するサービング送信ポイント（例えば、ｅＮＢ１１０）は、ＣＳＩ−ＲＳ設定情報及びＩＭＲ設定情報を該当端末（ＵＥ１（１２０）またはＵＥ２（１２２））に転送することができる。ここで、ＣＳＩ−ＲＳ設定情報及びＩＭＲ設定情報は、送信ポイントの信号電力の測定のために転送できる。この場合、ＩＭＲ設定情報は各ＩＭＲ毎に独立的に転送することができる。例えば、図６に示すように、Ｎ個（Ｎは０≦Ｎ≦１６の自然数）ＩＭＲに対し、設定情報は独立的なＮ個の資源設定情報（図６で、“zeroTxPowerResourceConfigList-r1x”）及びＮ個の独立的なサブフレーム設定情報（図６で、“zeroTxPowerSubframefig-r1x”）を使用して転送できる。ここで、資源設定情報及びサブフレーム設定情報は各ＩＭＲ別に独立的でありうる。言い換えると、１つ以上のＩＭＲ割り当て情報は端末（ＵＥ１（１２０）またはＵＥ２（１２２））に設定できる。この際、ＩＭＲ設定情報のために上位階層シグナリングを通じて構成できるパラメータはＺＰ−ＣＳＩ−ＲＳ設定（Zero-power CSI-RS configuration）及びＺＰ−ＣＳＩ−ＲＳサブフレーム設定（Zero-power CSI-RS subframe configuration）でありうる。
【００６５】
ＩＭＲインデックスは１つのＺＰ−ＣＳＩ−ＲＳ設定情報（例えば、zeroTxPowerCSI-RS-r1x）が１つのＩＭＲ設定情報を含んでいるので、ＩＭＲ設定情報が転送される順に割り当てできる。
【００６６】
一方、複数の資源設定情報とサブフレーム設定が使用できる。しかしながら、他の実施形態において、１つのＩＭＲ設定情報は実施形態１のように同一なサブフレーム設定を使用する複数のＩＭＲｓに対して使用できる。この場合、ＩＭＲインデックスは、（i）ＩＭＲ設定情報が転送される順序と、（ii）資源設定に使われるビットマップ順序とを組み合わせて（例えば、この方式は“組合せ方式”と呼ばれることがある）割り当ることができる。より詳しくは、まず、ＩＭＲインデクシング手続はＩＭＲ設定情報の転送順にＩＭＲインデックスを増加させるように遂行できる。その後、複数のＩＭＲを転送するＩＭＲ設定情報に対し、ＩＭＲインデクシング手続は実施形態１のように資源設定に使われるビットマップ順にＩＭＲインデックスを増加させるように遂行できる。したがって、ＩＭＲインデックスは各ＩＭＲ毎に組合せ方式を通じて設定できる。
【００６７】
または、上記ＩＭＲ設定情報の転送順序が曖昧な場合、設定された全てのＩＭＲのサブフレーム設定の値は昇順または降順に整理できる。その後、ＩＭＲインデックスはサブフレーム設定値の順に設定できる。この際、仮に同一なサブフレーム設定値を有する複数のＩＭＲが存在すれば、ＩＭＲインデックスは実施形態１のように資源設定に使われるビットマップ順序に増加させ、各ＩＭＲ毎に割り当てできる。
【００６８】
サービング送信ポイント（例えば、ｅＮＢ１１０）は、以上のインデクシングスキームによって定まったＩＭＲインデックスを使用して、好ましい干渉仮説に対するＣＳＩフィードバックを端末（ＵＥ１（１２０）またはＵＥ２（１２２））に要求することができる。
【００６９】
実施形態３：ＩＭＲ設定のための別途の情報要素（information element：ＩＥ）が“CSI-RS-Config”メッセージに追加される場合
【００７０】
資源要素ミューティングは‘ＣｏＭＰ測定セットに含まれない他の送信ポイント’のＣＳＩ−ＲＳ転送に対し、‘ＣｏＭＰ測定セット内の送信ポイント’が発生させる干渉を抑制するために使用できる。この場合、一般的に、資源要素ミューティングのためのＺＰ−ＣＳＩ−ＲＳ設定情報は、一般的に、zeroTxPowerCSI-RS IEの“zeroTxPowerResourceConfigList”フィールドを使用して転送できる。しかしながら、実施形態３で、ＩＭＲ設定情報を設定するための“IMRConfigList”フィールドは次の通り“CSI-RS-Config”メッセージのzeroTxPowerCSI-RS IEにさらに含まれることができる。
【００７１】
図７は、実施形態３に従ってＩＭＲ設定のために追加された“IMRConfigList”フィールドのＩＭＲビットマップが構成される方法を示している。
【００７２】
図７を参照すると、資源要素ミューティングのためのＺＰ−ＣＳＩ−ＲＳ資源設定情報は“zeroTxPowerResourceConfigList”フィールドのビットマップとして転送される。資源要素ミューティングに設定されたＺＰ−ＣＳＩ−ＲＳの個数を“Ｎ”とすれば、“IMRConfigList”フィールドは（１６−Ｎ）ビットのビットマップとして構成される。言い換えると、ＩＭＲｓは資源要素ミューティングに設定されたＺＰ−ＣＳＩ−ＲＳ資源を除いて、残りのＺＰ−ＣＳＩ−ＲＳ資源を使用して具現できる。
【００７３】
資源要素ミューティングのためのビットマップで‘０’に設定されたＺＰ−ＣＳＩ−ＲＳ資源は選択され、ＩＭＲを設定するための資源として使用できる。言い換えると、ビットマップで‘０’に設定されたＺ−ＣＳＩ−ＲＳ資源はＩＭＲビットマップに再構成できる。例えば、図８で資源要素ミューティングのために使われるＺＰ−ＣＳＩ−ＲＳｓのインデックスは、図５に示すように、０、６、８、及び１１と仮定する。上記４個のＺＰ−ＣＳＩ−ＲＳ資源を除いた１２個のＺＰ−ＣＳＩ−ＲＳ資源はＩＭＲ設定のために使用できる。この場合、１２個のＺＰ−ＣＳＩ−ＲＳ資源は１２ビット（（１６−４）ビット）ＩＭＲビットマップとして再構成できる。再構成されたＩＭＲビットマップで、ＩＭＲが設定されたＺＰ−ＣＳＩ−ＲＳ資源は‘１’に設定できる。例えば、ＩＭＲ設定のために使われたＺＰ−ＣＳＩ−ＲＳインデックスは２、４、９、及び１４となることができる。
【００７４】
また、図８に示すように、ＩＭＲビットマップが‘１’に設定されたＺＰ−ＣＳＩ−ＲＳを整理した後、端末はビットマップの順にインデックス付けて各々のＩＭＲを識別することができる。例えば、ＩＭＲ設定のために使われたＺＰ−ＣＳＩ−ＲＳインデックス２、４、９、及び１４は、ＩＭＲインデックス０、１、２、及び３でありうる。
【００７５】
このように定まったＩＭＲインデックスを使用してサービング送信ポイント（ｅＮＢ  １１０）は好ましい干渉仮説に対するＣＳＩフィードバックを端末に要求することもできる。
【００７６】
実施形態４：複数のサブフレームにＩＭＲを設定する方法
【００７７】
上記の“CSI-RS-Config”メッセージを使用してＩＭＲを設定する場合、該当ＩＭＲセットが送信ポイントに従って決定できる。また、この場合、各送信ポイントに関連したＩＭＲセットの設定情報は転送できる。
【００７８】
上述の場合、ＩＭＲｓを含むサブフレームに対する設定情報（例えば、サブフレーム設定情報）は“zeroTxPowerSubframeConfig-r10”フィールドを使用することができる。したがって、ただ１つのサブフレームは１つの“CSI-RS-Configメッセージ”に設定できる。この場合、１つのサブフレームに設定できるＩＭＲ資源の最大個数は図３に示すように、１６個（図３のアルファベット大文字“Ａ〜Ｒ”）でありうる。
【００７９】
しかしながら、ＣｏＭＰ測定セットに含まれている送信ポイントの個数が増加すれば、これによって考慮すべき干渉仮設の個数が増加することがある。ＣｏＭＰ測定セット内の送信ポイント個数を“ＮＴＰ”という時、考慮すべき全ての干渉仮説の個数“ＮＩＨ”は（２ＮＴＰ−１）（２のＮＴＰ乗から１を減じた値）である。以下の＜表７＞は“ＮＴＰ”の個数に従う“ＮＩＨ”の個数を示している。
【００８０】
【表７】
0006039810.tif 000008
【００８１】
ＩＭＲｓは干渉仮説の個数（干渉仮説の個数である‘ＮＩＨ’）に基づいて設定できる。１つのサブフレーム内の多数の資源はＣＳＩ−ＲＳ転送及び資源要素ミューティングに使用できる。この場合にはＩＭＲを設定することができる資源が足りないことがある。したがって、以下の実施形態５及び６で多数個のサブフレームに分けてＩＭＲを設定する方法を詳細に説明する。
【００８２】
実施形態５：多数個のサブフレームを使用してＩＭＲを分散して設定する第１方法
【００８３】
まず、複数のサブフレームを選択するために、ＺＰ−ＣＳＩ−ＲＳのサブフレームを設定するために使われた“zeroTxPowerResourceConfigList”の値が使用できる。ＺＰ−ＣＳＩ−ＲＳが転送されるサブフレームの開始インデックス及びＺＰ−ＣＳＩ−ＲＳの転送の周期（‘ＺＰ−ＣＳＩ−ＲＳ転送周期’ともいう）は“zeroTxPowerResourceConfigListの値を利用すれば”サブフレーム個数として獲得できる。以下、“Ｔ”は上記獲得した転送周期のサブフレーム個数を示す。
【００８４】
１つの転送周期内の全てのサブフレームはＩＭＲ転送に利用可能なサブフレームとして使用できる。または、シグナリングオーバーヘッドを減らすために、ＩＭＲ転送可能なサブフレームは予め選択され、サブフレーム設定情報は端末に転送できる。
【００８５】
ここで、ＩＭＲ転送のために選択されるサブフレーム個数（“Ｓ”）は予め定義した自然数の値でありうる。または、個数“Ｓ”はシステムで可変的に定義できる。“Ｓ”値に対する情報はＲＲＣメッセージで端末に提供できる。
【００８６】
‘Ｓ’個のサブフレームはＳ個の連続するサブフレームインデックスを有するサブフレームでありうる。ここで、連続的なサブフレームインデックスは上記サブフレーム周期の開始インデックスからオフセット値（“Ｏ”）離れたインデックスで始まることができる。ここで、オフセット値“Ｏ”は任意の整数でありうる。例えば、Ｔ＝１０、Ｓ＝５、Ｏ＝１、及びサブフレーム周期の開始インデックス‘ｉ’の場合に、ＩＭＲ転送可能な５個のサブフレームインデックスは｛ｉ＋１、ｉ＋２、ｉ＋３、ｉ＋４、ｉ＋５｝でありうる。
【００８７】
一方、‘Ｓ’個のサブフレームは‘Δ’個だけの間隔をおいて選択されるＳ個のサブフレームインデックスを有するサブフレームでありうる。ここで、Ｓ個のサブフレームインデックスは上記サブフレーム周期の開始インデックスからオフセット値（“Ｏ”）離れたインデックスで始まることができる。‘Δ’は‘Ｔ’と‘Ｓ’の関数として定義できる。例えば、Ｔ＝１０、Ｓ＝３、Ｏ＝１、及び‘ｉ’がサブフレーム周期の開始インデックスの場合、仮に、‘Δ’がΔ＝ＦＬＯＯＲ（Ｔ／Ｓ）により定義されれば、‘Δ’は３（すなわち、Δ＝３）でありうる。したがって、この場合、ＩＭＲ転送可能な３個のサブフレームインデックスは｛ｉ＋１，ｉ＋４，ｉ＋７｝でありうる。
【００８８】
ＩＭＲ転送可能なサブフレームのインデックスは下記のように＜数式１＞により表現できる。
【００８９】
＜数式１＞
ｉ＋（Ｏ＋Δ＊ｓ）ｍｏｄ Ｔ
【００９０】
＜数式１＞において、ｓ＝０，１，．．．，Ｃｅｉｌ（Ｔ／Δ）−１である。
【００９１】
一方、‘Ｓ’値に関する情報がなく、‘Δ’値に関する情報のみ通知された場合、‘Ｔ’、‘Ｏ’値のみ知れば、ＩＭＲ転送可能なサブフレームは選択できる。したがって、Ｓ値の代わりに使用することができるΔ値は予め定義できる。また、‘Ｔ’値に関する情報は対応するシステムで可変的に定義されることができ、ＲＲＣメッセージを通じて端末に提供できる。
【００９２】
したがって、ＩＭＲ転送可能なサブフレームのインデックスは下記のように＜数式２＞により表現できる。
【００９３】
＜数式２＞
ｉ＋（Ｏ＋Δ＊ｓ）ｍｏｄ Ｔ
【００９４】
＜数式２＞において、ｓ＝０，１，．．．，Ｃｅｉｌ（Ｔ／Δ）−１である。ここで、“Ｃｅｉｌ”は切り上げを意味する。例えば、Ｃｅｉｌ（０．１）＝１である。
【００９５】
他の実施形態において、‘Ｔ’個のサブフレームのうち、ＩＭＲ転送可能なサブフレームに関連した別途のＩＭＲビットマップはＲＲＣメッセージで構成できる。したがって、ＩＭＲビットマップ情報は端末に転送できる。ここに、‘Ｔ’はサブフレームの数として表された転送周期を表わす。図９において、“zeroTxPowerSub-frameConfigList-r1x”は上記Ｔ−ビット（Ｔは自然数である。）ビットマップを示すことができる。該当ビットマップで、選択された‘Ｓ’個のサブフレームに対するビットは‘１’として転送され、残りのビットは‘０’として転送される。
【００９６】
また、ＩＭＲが設定されるサブフレーム個数が‘Ｓ’である場合、ＩＭＲビットマップは各サブフレーム毎に設定されてＲＲＣメッセージに構成できる。したがって、ＩＭＲビットマップはサブフレーム個数Ｓだけ構成できる。ここで、各ＩＭＲビットマップはＩＭＲ設定情報を含むことができる。ＩＭＲビットマップは上述の実施形態１から実施形態３に従って各サブフレーム毎に構成できる。
【００９７】
実施形態１から３のように、各ＩＭＲはＺＰ−ＣＳＩ−ＲＳまたはＣＳＩ−ＲＳの１周期内でＩＭＲが設定されたサブフレームとＩＭＲが設定されたＩＭＲビットマップの順にＩＭＲインデックスが割り当てられて識別できる。サービング送信ポイント１１０はこのように定まったＩＭＲインデックスを使用して好まれる干渉仮設に対するＣＳＩフィードバックを端末に要求することができる。
【００９８】
実施形態６：多数個のサブフレームを使用してＩＭＲを分散して設定する第２方法
【００９９】
実施形態５と同一な方法によりＩＭＲ情報は通知することができる。しかしながら、“subframeConfig”値は実施形態５で使われた“zeroTxPowerResourceConfigList”の代りに使用できる。ここで、“subframeConfig”値はＣＳＩ−ＲＳの転送のために使われたサブフレーム設定情報に対応することができる。ＣＳＩ−ＲＳが転送されるサブフレームの開始インデックス及び‘ＣＳＩ−ＲＳ転送周期’は“subframeConfig”の値（例えば、０〜１５４）によってサブフレーム個数として獲得できる。また、獲得されたＣＳＩ−ＲＳ転送周期はＩＭＲ転送のための‘Ｔ’値として使われる。ＩＭＲ設定情報転送方法は実施形態５と同一でありうる。
【０１００】
実施形態６において、１つの転送周期内の全てのサブフレームはＩＭＲ転送可能なサブフレームとして使用できる。または、シグナリングオーバーヘッドを減らすために、ＩＭＲ転送可能なサブフレームは予め選択され、サブフレーム設定情報は端末に転送できる。
【０１０１】
ここで、ＩＭＲ転送のために選択されるサブフレーム個数（“Ｓ”）は予め定義された値でありうる。または、個数“Ｓ”は対応するシステムで可変的に定義できる。“Ｓ”値に対する情報はＲＲＣメッセージを通じて端末に提供できる。
【０１０２】
‘Ｓ’個のサブフレームは始めてＳ個の連続するサブフレームインデックスを有するサブフレームとなることができる。ここで、Ｓ個の連続するサブフレームインデックスは対応するサブフレーム周期の開始インデックスからオフセット値（“Ｏ”）離れたインデックスで始まることができる。オフセット値“Ｏ”は任意の整数でありうる。例えば、Ｔ＝１０、Ｓ＝５、Ｏ＝１、及びサブフレーム周期の開始インデックスｉの場合に、ＩＭＲ転送可能な５個のサブフレームインデックスは｛ｉ＋１、ｉ＋２、ｉ＋３、ｉ＋４、ｉ＋５｝でありうる。
【０１０３】
または、‘Ｓ’個のサブフレームはΔ個の間隔をおいて選択されるＳ個のサブフレームインデックスに対応するサブフレームでありうる。ここで、Ｓ個のサブフレームインデックスはサブフレーム周期の開始インデックスからオフセット値（“Ｏ”）離れたインデックスで始まることができる。‘Δ’は‘Ｔ’と‘Ｓ’の関数として定義できる。例えば、Ｔ＝１０、Ｓ＝３、Ｏ＝１、及び‘ｉ’がサブフレーム周期の開始インデックスを示す場合、‘Δ’がΔ＝ＦＬＯＯＲ（Ｔ／Ｓ）により定義されれば、‘Δ’は３（すなわちΔ＝３）でありうる。したがって、この場合にＩＭＲ転送可能な３個のサブフレームインデックスは｛ｉ＋１、ｉ＋４、ｉ＋７｝でありうる。
【０１０４】
ＩＭＲ転送可能なサブフレームのインデックスは下記のように＜数式３＞により表現できる。
【０１０５】
＜数式３＞
ｉ＋（Ｏ＋Δ＊ｓ）ｍｏｄ Ｔ
【０１０６】
＜数式３＞において、ｓ＝０，１，．．．，Ｓ−１である。
【０１０７】
また、‘Ｓ’値に関する情報が通知されておらず‘Δ’値に関する情報のみが通知されている場合であっても、‘Ｔ’及び‘Ｏ’値のみ知れば、ＩＭＲ転送可能なサブフレームが選択できる。したがって、Ｓ値の代わりに使用することができるΔは予め定義された値でありうる。または、‘Ｔ’値に関する情報は対応するシステムで可変的に定義されることができ、ＲＲＣメッセージを通じて端末に提供できる。
【０１０８】
したがって、ＩＭＲ転送可能なサブフレームのインデックスは、下記のように＜数式４＞により表現できる。
【０１０９】
＜数式４＞
ｉ＋（Ｏ＋Δ＊ｓ）ｍｏｄ Ｔ
【０１１０】
＜数式４＞において、ｓ＝０，１，．．．，Ｃｅｉｌ（Ｔ／Δ）−１である。
【０１１１】
他の実施形態において、‘Ｔ’個のサブフレームのうち、ＩＭＲ転送可能なサブフレームに関連した別途のＩＭＲビットマップはＲＲＣメッセージで設定できる。したがって、ＩＭＲビットマップ情報は端末に転送できる。ここで、‘Ｔ’はサブフレーム個数として表現される転送周期を示すことができる。従来技術または実施形態５で、ＺＰ−ＣＳＩ−ＲＳに関連したサブフレームを設定するために使われた“zeroTxPowerSubframeConfig”フィールドは除去できる。上記ＲＲＣメッセージは図１０に示すように構成できる。図１０で、“zeroTxPowerSub-frameConfigList-r1x”は上記Ｔビットのビットマップを示すことができる。該当ビットマップで、選択されたサブフレームの個数‘Ｓ’に関連したビットは‘１’として転送されることができ、残りのビットは０として転送できる。
【０１１２】
また、ＩＭＲ設定に関連したサブフレームの個数が‘Ｓ’の場合に、ＩＭＲビットマップは各サブフレーム毎にＲＲＣメッセージに構成できる。したがって、ＩＭＲビットマップはサブフレーム個数Ｓだけ構成できる。ここで、各ＩＭＲビットマップはＩＭＲ設定情報を含むことができる。ＩＭＲビットマップは各サブフレーム別に構成され、上記実施形態１から実施形態３に従う。
【０１１３】
実施形態１から３のように、各ＩＭＲはＺＰ−ＣＳＩ−ＲＳまたはＣＳＩ−ＲＳの１周期内でＩＭＲが設定されたサブフレームとＩＭＲが設定されたＩＭＲビットマップの順に割り当てられたＩＭＲインデックスに従って識別できる。サービング送信ポイント（例えば、ｅＮＴ  １１０）はこのように定まったＩＭＲインデックスを使用して好ましい干渉仮説に対するＣＳＩフィードバックを端末に要求することができる。
【０１１４】
以上、実施形態はＣｏＭＰ環境で、ＩＭＲに対するＩＭＲ設定情報設定方法及びＩＭＲインデックスを使用したＩＭＲ設定情報を転送する方法の実施形態を詳細に説明した。以下、前述した実施形態１から３に係る端末の干渉測定方法を詳細に説明する。また、他の実施形態（例えば、実施形態４から６）も同様に適用できる。
【０１１５】
図１１は、少なくとも一実施形態に係る端末の干渉測定方法のフローチャートを示す。
【０１１６】
図１１を参照すると、端末の干渉測定方法（１１００）において、端末は‘干渉測定資源（ＩＭＲ）設定情報’（または、ＩＭ資源設定情報として称されることもある）をステップＳ１１１０で送信ポイントから受信することができる。ここで、各ＩＭＲ設定情報はＩＭＲインデックス（または、‘ＩＭ資源インデックス’）に基づいて識別できる。ＩＭＲインデックス（または、複数のＩＭＲインデックス）は端末のダウンリンク干渉測定に使われるＩＭＲ設定情報を指示することができる。ステップＳ１１２０で、端末は受信されたＩＭＲ設定情報に基づいて干渉測定を遂行することができる。
【０１１７】
ＩＭＲ設定情報は、資源設定（Resource configuration）情報及びサブフレーム設定（subframe configuration）情報を含むことができる。
【０１１８】
資源設定情報は１つの物理的資源ブロックの対中において４個の資源要素に関連した設定情報を含むことができる。ここで、４個の資源要素はゼロパワーチャンネル状態情報−参照信号（zero power-channel state information-reference signal：ＺＰ−ＣＳＩ−ＲＳ）設定で指定（すなわち、使用）できる。
【０１１９】
ＩＭＲ設定情報を送信ポイントから受信する動作（Ｓ１１１０）において、端末はＩＭＲ設定情報を端末−特定ＲＲＣメッセージを通じて送信ポイントから受信することができる。
【０１２０】
ＩＭＲ設定情報を送信ポイントから受信する動作（Ｓ１１１０）において、端末はＩＭＲ設定情報と共にＣＳＩ−ＲＳ設定情報を受信することができる。
【０１２１】
一方、端末はＩＭＲインデックス（または、複数のＩＭＲインデックス）を使用してＩＭＲ設定情報を送信ポイントから受信することができる。この場合、ＩＭＲ設定情報は実施形態１から６で説明したように、ＩＭＲインデックスに基づいて識別できる。端末はＩＭＲインデックス（または、複数のＩＭＲインデックス）を使用して前述した干渉仮説によって干渉信号を測定することができる。その後、端末は干渉測定結果に従ってチャンネル状態情報を送信ポイントにフィードバックすることができる。
【０１２２】
図１２は、実施形態による基地局の構成を示す図である。
【０１２３】
図１２を参照すると、少なくとも一実施形態による送信／受信ポイントに該当する基地局（ＢＳ）１２００は、制御部１２１０、送信部１２２０、及び受信部１２３０を含むことができる。
【０１２４】
制御部１２１０は本実施形態の遂行に必要とするＣｏＭＰ動作に従う全般的な基地局１２００の動作を制御することができる。
【０１２５】
送信部１２２０と受信部１２３０は、本実施形態の遂行に必要とする送信及び受信信号、メッセージ及び／又はデータを端末と送受信することができる。
【０１２６】
図１２を参照して説明する基地局（ＢＳ）１２００は、制御部１２１０、送信部１２２０、及び受信部１２３０を通じて実施形態１から６に従う送信ポイントのＩＭＲ転送方法を全て遂行することができる。
【０１２７】
制御部１２１０は特定の端末のダウンリンク干渉測定に使われるＩＭＲ設定情報を構成することができる。この際、送信部１２２０はＩＭＲインデックス（または、複数のＩＭＲインデックス）を使用してＩＭＲ設定情報を識別することができ、端末に識別されたＩＭＲ設定情報を転送することができる。ここで、ＩＭＲインデックス（または、複数のＩＭＲインデックス）はＩＭＲ設定情報を指示することができる。送信部１１２０は、ＩＭＲ設定情報を端末−特定ＲＲＣメッセージを通じて端末に転送することができる。送信部１１２０は、ＩＭＲ設定情報と共にＣＳＩ−ＲＳ設定情報を転送することができる。
【０１２８】
図１３は、実施形態によるユーザ端末の構成を示す図である。
【０１２９】
図１３を参照すると、少なくとも一実施形態によるユーザ端末１３００は、受信部１３１０、制御部１３２０、及び送信部１３３０を含む。
【０１３０】
受信部１３１０は、基地局からダウンリンク制御情報、データ及び／又はメッセージを該当チャンネルを介して受信することができる。
【０１３１】
制御部１３２０は、前述した本実施形態の遂行に必要とするＣｏＭＰ動作に従う全般的な端末１３００の動作を制御する。
【０１３２】
送信部１３３０は、基地局にダウンリンク制御情報、データ及び／又はメッセージを該当チャンネルを介して転送することができる。
【０１３３】
図１３を参照して説明すると、端末１３００は、受信部１３１０、制御部１３２０、及び送信部１３３０を通じて実施形態１から６を通じて端末の干渉測定方法を全て遂行することができる。
【０１３４】
受信部１３１０は、干渉測定資源（ＩＭＲ）設定情報を送信ポイント（例えば、基地局）から受信することができる。ここで、ＩＭＲ設定情報はＩＭＲインデックス（または、複数のＩＭＲインデックス）に基づいて識別できる。ＩＭＲインデックス（または、複数のＩＭＲインデックス）端末のダウンリンク干渉測定に使われるＩＭＲ設定情報を指示することができる。一方、制御部１３２０はＩＭＲ設定情報に従って干渉測定を遂行することができる。この場合、受信部１３１０はＩＭＲ設定情報を端末−特定ＲＲＣメッセージを通じて送信ポイントから受信することができる。また、受信部１３１０は、ＩＭＲ設定情報と共にＣＳＩ−ＲＳ設定情報を受信することができる。
【０１３５】
この際、基地局１２００及び端末１３００の動作において、ＩＭＲ設定情報は資源設定情報とサブフレーム設定情報を含むことができる。ここで、資源設定情報は１つの物理的資源ブロックの対の中において４個の資源要素で構成できる。４個の資源要素はＺＰ−ＣＳＩ−ＲＳ設定で指定（例えば、使用）できる。
【０１３６】
前述した実施形態で言及された技術標準内容は本明細書に対する簡略な説明のために省略されたが、技術標準の関連内容は本明細書の一部を構成することができる。したがって、本明細書及び／又は請求範囲に標準関連内容を追加することは本発明の範囲に含まれるものとして解釈されるべきである。
【０１３７】
より詳しくは、含まれた文書は公開された文書の一部として本明細書の一部を構成することができる。したがって、本明細書及び／又は請求範囲に、標準関連内容及び／又は標準文書の一部を追加することは本発明の範囲に該当するものとして解釈されるべきである。
【０１３８】
以上の説明は、本発明の技術思想を例示的に説明したことに過ぎないものであって、本発明の本質的な特性から外れない範囲で当業者により多様な置換、修正、変形および改造が可能である。したがって、本発明に開示された実施形態は本発明の技術思想を限定するためのものではなく、説明するためのものであり、本発明の技術思想の範囲はこのような実施形態に限定されるものではない。本発明の保護範囲は請求範囲により解釈されなければならず、それと同等な範囲内にある全ての技術思想は本発明の権利範囲に含まれるものと解釈されるべきである。
【０１３９】
他の出願への参照
【０１４０】
本特許出願は、２０１２年９月０７日付で韓国に出願した特許出願番号第１０−２０１２−００９９２３７号、２０１２年１０月１９日付で韓国に出願した特許出願番号第１０−２０１２−０１１６９３９号、及び２０１２年１２月１２日付で韓国に出願した特許出願番号第１０−２０１２−０１４４６０４号に対し、米国特許法１１９（ａ）条（３５Ｕ．Ｓ．Ｃ§１１９（ａ））により優先権を主張し、その全ての内容は本特許出願に併合される。
【図１】
0006039810.tif 000009
【図２】
0006039810.tif 000010
【図３】
0006039810.tif 000011
【図４】
0006039810.tif 000012
【図５】
0006039810.tif 000013
【図６】
0006039810.tif 000014
【図７】
0006039810.tif 000015
【図８】
0006039810.tif 000016
【図９】
0006039810.tif 000017
【図１０】
0006039810.tif 000018
【図１１】
0006039810.tif 000019
【図１２】
0006039810.tif 000020
【図１３】
0006039810.tif 000021